(57)【要約】【課題】第１のパイプと第２のパイプとを連結するパイプ連結ソケットとこれを備えた空気調和機を提供する。【解決手段】第１のパイプと第２のパイプとの連結のために管状に形成され、第１のパイプの一端と第２のパイプの一端がそれぞれ挿入されて連結されるように、両端が拡管されて第１の拡管部と第２の拡管部をそれぞれ形成しているパイプ連結ソケットと、これを備えた空気調和機を提供する。これによれば、第２のパイプに連結のための構成を形成する必要がないため、第２のパイプを切断してその長さを自由に調節可能になる。【選択図】図２
2008267785.tif 000002
【特許請求の範囲】
【請求項１】
第１のパイプと第２のパイプとの連結のために管状に形成され、前記第１のパイプの一端と前記第２のパイプの一端がそれぞれ挿入されて連結されるように、両端が拡管されて第１の拡管部と第２の拡管部を形成していることを特徴とする、パイプ連結ソケット。
【請求項２】
前記第１の拡管部と前記第２の拡管部の間には、前記第１のパイプ及び前記第２のパイプとそれぞれ同じ内径を持つように形成された主連結部が形成されることを特徴とする、請求項１に記載のパイプ連結ソケット。
【請求項３】
前記第１のパイプは銅管からなり、前記第２のパイプは前記第１のパイプに比べて相対的により厚いアルミニウム管で形成され、その外径が前記第１のパイプに比べて相対的に大きく形成され、
前記第１の拡管部の内径は、前記第１のパイプの外径と対応するように形成され、前記第２の拡管部の内径は、前記第２のパイプの外径と対応するように前記第１の拡管部に比べて相対的に大きく形成されることを特徴とする、請求項２に記載のパイプ連結ソケット。
【請求項４】
前記パイプ連結ソケットは、アルミニウムからなり、
前記第１のパイプの一端は溶接にて前記第１の拡管部に固着され、
前記第１のパイプの一端と前記第１の拡管部は副食防止のための防錆チューブで被覆されることを特徴とする、請求項３に記載のパイプ連結ソケット。
【請求項５】
前記防錆チューブは、熱によって収縮する熱収縮性の材質から形成されることを特徴とする、請求項５に記載のパイプ連結ソケット。
【請求項６】
前記第１の拡管部及び第２の拡管部には、端部側に行くにつれて次第に増加する内径を持つように形成されたガイド部がそれぞれ形成されていることを特徴とする、請求項１に記載のパイプ連結ソケット。
【請求項７】
室内に設置される室内機と、
室外に設置される室外機と、
冷媒を循環させるように前記室内機及び前記室外機からそれぞれ延在している第１のパイプと、
前記室内機から延在する前記第１のパイプと前記室外機から延在する第１のパイプに両端がそれぞれ連結され、前記記室内機または前記室外機のいずれかから他のいずれかに冷媒が伝達されるようにする第２のパイプと、
管状に形成され、両端に、前記第１のパイプの一端と前記第２のパイプの一端がそれぞれ挿入されて連結される第１の拡管部と第２の拡管部が形成されたパイプ連結ソケットと、
を備えることを特徴とする、空気調和機。
【請求項８】
前記第１の拡管部と前記第２の拡管部の間には、前記第１のパイプ及び前記第２のパイプとそれぞれ同じ内径を持つように形成された主連結部が形成されることを特徴とする、請求項７に記載の空気調和機。
【請求項９】
前記第１のパイプは、銅管からなり、
前記第２のパイプは、前記第１のパイプに比べて相対的により厚いアルミニウム管からなり、その外径が前記第１のパイプに比べて相対的に大きく形成されることを特徴とする、請求項８に記載の空気調和機。
【請求項１０】
前記第１の拡管部の内径は、前記第１のパイプの外径と対応するように形成され、
前記第２の拡管部の内径は、前記第２のパイプの外径と対応するように前記第１の拡管部に比べて相対的に大きく形成されることを特徴とする、請求項９に記載の空気調和機。
【請求項１１】
前記パイプ連結ソケットは、アルミニウムから形成され、
前記第１のパイプの一端は、溶接にて前記第１の拡管部に固着され、
前記第１のパイプの一端と前記第１の拡管部は、副食防止のための防錆チューブで被覆されることを特徴とする、請求項９に記載の空気調和機。
【請求項１２】
前記防錆チューブは、熱によって収縮する熱収縮性の材質で形成されることを特徴とする、請求項１１に記載の空気調和機。
【請求項１３】
前記第１の拡管部及び第２の拡管部には、端部に行くにつれて次第に増加する内径を持つように形成されたガイド部がそれぞれ形成されていることを特徴とする、請求項７に記載の空気調和機。
【発明の詳細な説明】
【技術分野】
【０００１】
本発明は、パイプ連結ソケット及びこれを備えた空気調和機に係り、より詳細には、相互に異なる外径を持つ２つのパイプを互いに連結させるパイプ連結ソケットとこれを備えた空気調和機に関する。
【背景技術】
【０００２】
一般に、パイプ連結ソケットが適用される空気調和機は、冷凍サイクル構成要素を備えて室内空間を冷暖房する装置で、その一つに、室内に設置される室内機と室外に設置される室外機とを備え、冷媒が室内機または室外機のいずれかから他のいずれかに伝達されるように複数のパイプを介して互いに連結されている分離型空気調和機がある。
【０００３】
冷媒伝達のために使われるパイプは、室内機と室外機からそれぞれ延在する第１のパイプと、両端が室内機から延在する第１のパイプと室外機から延在する第１のパイプにそれぞれ連結され、冷媒が室内機または室外機のいずれかに伝達されるようにする第２のパイプと、を備える。
【０００４】
このような第１のパイプと第２のパイプの連結のためには、従来、特許文献１に開示されているように、第２のパイプの一端に第１のパイプの一端が収容されるように拡管部を形成し、該拡管部に第１のパイプの一端が内挿されてから溶接にて固定する方式が用いられてきた。
【０００５】
このため、空気調和機を設置する過程において室内機と室外機間の距離が短いために第２のパイプの長さを縮める必要がある場合には、第２のパイプを切断してその長さを縮めなければならないが、第２のパイプを切断した後には第２のパイプの末端に再び第１のパイプとの連結のために拡管部を形成しなければならない。
【特許文献１】特開昭６０―１５４８６８号公報
【発明の開示】
【発明が解決しようとする課題】
【０００６】
しかしながら、パイプの拡管部形成に使われる装備は設備に該当するもので、空気調和機の設置される場所にその都度持ち運ぶことができず、拡管部の形成されている第２のパイプの長さは空気調和機の設置される現場では任意に調節できないという問題点があった。
【０００７】
本発明は上記の問題点を解決するためのもので、その目的は、互いに連結される第１のパイプと第２のパイプの長さが容易に調節されるようにするパイプ連結ソケットと該パイプ連結ソケットを備えた空気調和機を提供することにある。
【課題を解決するための手段】
【０００８】
上記の目的を達成するための本発明に係るパイプ連結ソケットは、第１のパイプと第２のパイプとの連結のために管状に形成され、前記第１のパイプの一端と前記第２のパイプの一端がそれぞれ挿入されて連結されるように、両端が拡管されて第１の拡管部と第２の拡管部を形成していることを特徴とする。
【０００９】
また、前記第１の拡管部と前記第２の拡管部の間には、前記第１のパイプ及び前記第２のパイプとそれぞれ同じ内径を持つように形成された主連結部が形成されることを特徴とする。
【００１０】
また、前記第１のパイプは銅管からなり、前記第２のパイプは前記第１のパイプに比べて相対的により厚いアルミニウム管で形成され、その外径が前記第１のパイプに比べて相対的に大きく形成され、前記第１の拡管部の内径は、前記第１のパイプの外径と対応するように形成され、前記第２の拡管部の内径は、前記第２のパイプの外径と対応するように前記第１の拡管部に比べて相対的に大きく形成されることを特徴とする。
【００１１】
また、前記パイプ連結ソケットは、アルミニウムからなり、前記第１のパイプの一端は溶接にて前記第１の拡管部に固着され、前記第１のパイプの一端と前記第１の拡管部は副食防止のための防錆チューブで被覆されることを特徴とする。
【００１２】
また、前記防錆チューブは、熱によって収縮する熱収縮性の材質から形成されることを特徴とする。
【００１３】
また、前記第１の拡管部及び第２の拡管部には、端部側に行くにつれて次第に増加する内径を持つように形成されたガイド部がそれぞれ形成されていることを特徴とする。
【００１４】
また、本発明に係る空気調和機は、室内に設置される室内機と、室外に設置される室外機と、冷媒を循環させるように前記室内機及び前記室外機からそれぞれ延在している第１のパイプと、前記室内機から延在する前記第１のパイプと前記室外機から延在する第１のパイプに両端がそれぞれ連結され、前記記室内機または前記室外機のいずれかから他のいずれかに冷媒が伝達されるようにする第２のパイプと、管状に形成され、両端に前記第１のパイプの一端と前記第２のパイプの一端がそれぞれ挿入されて連結される第１の拡管部と第２の拡管部が形成されたパイプ連結ソケットと、を備えることを特徴とする。
【発明の効果】
【００１５】
本発明に係るパイプ連結ソケット及びこれを備えた空気調和機によれば、第１のパイプの一端と第２のパイプの一端がそれぞれ挿入されて連結されるようにパイプ連結ソケットの両端を拡管して第１の拡管部及び第２の拡管部を形成したため、第２のパイプに連結のための構成を設ける必要がなく、よって、第２のパイプを切断してその長さを自由に調節することが可能になる。
【００１６】
なお、本発明に係るパイプ連結ソケット及びこれを備えた空気調和機によれば、第２の拡管部の内径が第１の拡管部の内径に比べて相対的に大きく形成されているため、パイプ連結ソケットを介して、銅管からなる第１のパイプと、第１のパイプと同じ内径を持つように形成され、かつ、アルミニウム管からなるために相対的により厚く形成されなければならない第２のパイプとを互いに連結させて使用することが可能になる。
【発明を実施するための最良の形態】
【００１７】
以下、本発明の好適な実施例に係るパイプ連結ソケット及びこれを備えた空気調和機について、添付の図面を参照しつつ詳細に説明する。
【００１８】
本発明によるパイプ連結ソケットが適用される空気調和機は、図１に示すように、室内に設置される室内機１と、室外に設置される室外機２とを備えるもので、室外機２と室内機１は、冷媒が伝達される複数のパイプ３，４を介して互いに連結される。
【００１９】
パイプ３，４は、室内機１及び室外機２からそれぞれ延在する第１のパイプ３と、両端が室内機１から延在する第１のパイプ３と室外機２から延在する第１のパイプ３にそれぞれ連結され、冷媒が室内機１または室外機２のいずれかに伝達されるようにする第２のパイプ４とからなる。ここで、第１のパイプ３の内径ｄ１と第２のパイプ４の内径ｄ２は、冷媒の流動が円滑となるように互いに同一に形成される。
【００２０】
また、本発明には、図２及び図３に示すような第１のパイプ３と第２のパイプ４を連結させるパイプ連結ソケット５が備えられている。パイプ連結ソケット５は、管状に形成され、両端に第１のパイプ３と第２のパイプ４がそれぞれ連結され、結局として第１のパイプ３と第２のパイプ４とを連結させる機能を果たす。このパイプ連結ソケット５は、第１のパイプ３の内径ｄ１及び第２のパイプ４の内径ｄ２とそれぞれ同じ内径ｄ３を持つように形成された主連結部５ａと、主連結部５ａの両端に主連結部５ａの内径ｄ３に比べて相対的に大きい内径を持つように拡管され、第１のパイプ３の一端と第２のパイプ４の一端がそれぞれ挿入されて連結される第１の拡管部５ｂ及び第２の拡管部５ｃを含む。ここで、第１の拡管部５ｂ及び第２の拡管部５ｃには、末端側に行くにつれて次第に増加する内径を持つように形成され、第１のパイプ３及び第２のパイプ４が容易に第１の拡管部５ｂ及び第２の拡管部５ｃ内にそれぞれ進入できるようにするガイド部５ｄがそれぞれ形成されている。ここで、第１の拡管部５ｂの内径ｄ４は第１のパイプ３の外径Ｄ１に対応するように形成され、第２の拡管部５ｃの内径ｄ５は、第２のパイプ４の外径Ｄ２に対応するように形成される。
【００２１】
したがって、第１の拡管部５ｂに第１のパイプ３を挿入した後に溶接にて第１のパイプ３を第１の拡管部５ｂに固着し、第２の拡管部５ｃに第２のパイプ４を挿入した後に溶接にて第２のパイプ４を第２の拡管部５ｃに固着することで、第１のパイプ３及び第２のパイプ４が互いに連結されるので、第１のパイプ３と第２のパイプ４に互いに連結のための構成を備える必要がなく、よって、第１のパイプ３や第２のパイプ４を切断しその長さを必要に応じて空気調和機設置者が自由に調節可能である。
【００２２】
また、本実施例において第１のパイプ３は銅管からなり、第２のパイプ４はアルミニウム管からなるが、アルミニウム管は、同厚さの銅管に比べて相対的に強度が低い。このため、アルミニウム管からなる第２のパイプ４は、その強度を増強のために銅管からなる第１のパイプ３に比べてより厚く形成される。この場合、上述したように、第１のパイプ３の内径ｄ１と第２のパイプ４の内径ｄ２は互いに同一に形成されているので、第１のパイプ３に比べてより厚く形成された第２のパイプ４の外径Ｄ２は、第１のパイプ３の外径Ｄ１に比べて相対的に大きく形成される。
【００２３】
パイプ連結ソケット５は、このように第１のパイプ３と、第１のパイプ３に比べて相対的に大きい外径を持つように形成された第２のパイプ４とを互いに連結させるために、第２の拡管部５ｃの内径ｄ５が第１の拡管部５ｂの内径ｄ４に比べて相対的に大きく形成される。したがって、本発明によるパイプ連結ソケット５を介して、銅管からなる第１のパイプ３と、アルミニウム管からなり、第１のパイプ３と同じ内径及び相対的に大きい外径を持つように形成された第２のパイプ４とを互いに連結させて使用することができる。
【００２４】
なお、本実施例においてパイプ連結ソケット５はアルミニウム材質からなるが、このようにアルミニウム材質からなるパイプ連結ソケット５の第１の拡管部５ｂに、銅管からなる第１のパイプ３を溶接にて固着させると、溶接による連結部位は、異種材質の溶接時に生じうるガルパニック腐食（Galvanic corrosion）によって損傷される恐れがある。したがって、第１の拡管部５ｂと第１のパイプ３の一端は、腐食防止のために樹脂材の防錆チューブ６で被覆する。本実施例で、防錆チューブ６は、ポリオレフィン系やポリエチレン系のように熱によって収縮する熱収縮性材質にする。
【図面の簡単な説明】
【００２５】
【図１】本発明によるパイプ連結ソケットが適用された空気調和機を示す概略図である。
【図２】本発明によるパイプ連結ソケットの設置状態を示す分解斜視図である。
【図３】本発明によるパイプ連結ソケットの設置状態を示す断面図である。
【符号の説明】
【００２６】
１      室内機
２      室外機
３      第１のパイプ
４      第２のパイプ
５      パイプ連結ソケット
５ａ    主連結部
５ｂ    第１の拡管部
５ｃ    第２の拡管部
５ｄ    ガイド部
６      防錆チューブ
【図１】
2008267785.tif 000003
【図２】
2008267785.tif 000004
【図３】
2008267785.tif 000005